(57)【要約】【課題】コンテナーを積み重ねた場合でも被収納物の取り出しが容易であり、かつ組立容易な折り畳みコンテナーを提供する。【解決手段】周側板部３、４、５を底板部２に回動可能に連結した折り畳みコンテナー１の少なくとも一側板部に開口部６を設け、この開口部６を被覆し、開閉可能な扉部７を備えた構成とし、また、好ましくは、扉部７の下端部を底板部２に回動可能に連結し、扉部７を水平状に支持する支持部材１５を設けた構成とする。【選択図】    図１
2004359281.tif 000002
【特許請求の範囲】
【請求項１】
上方開口部を被覆する蓋部を有し、周側板部を底板部に回動可能に連結した折り畳みコンテナーにおいて、
少なくとも一側板部に開口部を設け、この開口部を被覆し、開閉可能な扉部を備えた折り畳みコンテナー。
【請求項２】
扉部の下端部を底板部に回動可能に連結し、扉部を水平状に支持する支持部材を設けた請求項１に記載の折り畳みコンテナー。
【請求項３】
前側板部を門型状の外枠体とし、この門型状の開口部を塞ぐ扉部を設け、前側板部及び扉部の下端を底板部に回動可能に連結した請求項１又は２に記載の折り畳みコンテナー。
【発明の詳細な説明】
【０００１】
【発明の属する技術分野】
本発明は、多段に積み重ねたときに側面から被収納物の出し入れが可能な折り畳みコンテナーに関する。
【０００２】
【従来の技術】
アルミニウムなどの金属からなる折り畳みコンテナーは、段ボールなどと比べて繰り返し使用でき、被収納物も傷つくことなく輸送が可能であり、不使用時は、折り畳んで保管スペースを狭くできるなどの利点がある。（例えば、特許文献１参照）
コンテナーを輸送したり保管したりする場合には、積み重ねることがあり、この際、コンテナーの上面に係合軸部を設け、他のコンテナーの下面に、板材を溝型に折曲し、溝型の基部に係合軸部が貫通可能な透孔を設けた板材を固着して、係合軸部を透孔に嵌入することにより連結可能としたコンテナーがある。（例えば、特許文献２参照）
積み重ねた際も被収納物を出し入れしやすくするために、上記コンテナーを改良して、折り畳むことはできないが、一側面を観音開きの扉として形成したコンテナーを製作し、被収納物が側面より出し入れできるコンテナーが提供されている。
【０００３】
【特許文献１】
特開平７−６９３４４号公報
【特許文献２】
特開平８−２４４８８１号公報
【０００４】
【発明が解決しようとする課題】
従来のコンテナーを積み重ねた際、上方に蓋を有している場合は、最上段以外のコンテナーの被収納物を取り出すことができず、また下方に置いたコンテナーの被収納物を取り出そうとする場合は、上方のコンテナーを持ち上げて移動させてから取り出すこととなり、コンテナーは重量があるため、手間取る作業となっていた。
側面を観音開きの扉とした場合は、折り畳むことができず、折り畳むことができる構造に設計変更しようとすると、構造上複雑になり、製造コストが高価となり、実用的でないという問題が生じていた。
【０００５】
そこで、本発明は、上記課題に鑑み、コンテナーを積み重ねた場合でも被収納物の取り出しが容易であり、かつ組立容易な折り畳みコンテナーを提供する。
【０００６】
【課題を解決するための手段】
本発明は、上方開口部を被覆する蓋部を有し、周側板部を底板部に回動可能に連結した折り畳みコンテナーにおいて、
少なくとも一側板部に開口部を設け、この開口部を被覆し、開閉可能な扉部を備えて折り畳みコンテナーを構成したことを特徴とする。
これにより、コンテナーを積み重ねた状態のまま、どの段のコンテナーでも、側面の扉部を開扉すれば、容易に被収納物を取り出すことができる。また、側板部の面上に扉部を有しているため、積み重ねても扉部を傷めることがなく、折り畳む際は、側板部とともに折り畳むことができる。
【０００７】
扉部は下端部を底板部に回動可能に連結し、扉部を水平状に支持する支持部材を設けた構成とするのが好ましく、開扉時に扉部を水平に支持して扉部を棚や置き台などとして使用することができる。
【０００８】
また、前側板部を門型状の外枠体とし、この門型状の開口部を塞ぐ扉部を設け、前側板部及び扉部の下端を底板部に回動可能に連結した折り畳みコンテナーとすれば、開口部を広くとることができ、被収納物が出し入れしやすくなる。また、前側板部及び扉部の下端を一直線状に並べて回動可能に連結すれば、回転軸を一軸にできるなど設計、組立が容易になる。
【０００９】
【発明の実施の形態】
以下、本発明の一実施形態を図面を用いて説明する。
図１は本発明の折り畳みコンテナーの一実施形態を示した斜視図、図２は図１の折り畳みコンテナーの分解斜視図、図３は図１の前側板部の分解斜視図、図４は図１のロック機構を示した拡大図、図５は収納部を備えた構成とした折り畳みコンテナーの一実施形態を示した斜視図、図６は図５のコンテナーの側断面図である。
【００１０】
本発明の折り畳みコンテナー１は、底板部２、前後側板部３、４、横側板部５、５、側面開口部６、扉部７及び蓋部８を備えている。
【００１１】
底板部２は、図２に示すように、略矩形状の底面２ａの周囲を垂直上方に折曲して前立上げ部２ｂ、後立上げ部２ｃ及び横立上げ部２ｄ、２ｅを形成してある。また、前立上げ部２ｂ、後立上げ部２ｃ及び横立上げ部２ｄ、２ｅの上端には、所定の間隔で内方又は外方にカール状に曲げて挿通孔２ｆを有するカール部２ｇを形成してある。挿通孔２ｆは、長尺丸棒状の回転軸２ｈ、２ｉが挿通できる大きさとしてある。
底面２ａの広さは、折り畳みコンテナー１に収納する被収納物に合わせた適宜広さとすることができる。
両横立上げ部２ｄ、２ｅの高さは横側板部４の厚さ分以上とし、前立上げ部２ｂの高さは横立上げ部２ｄ、２ｅの高さよりも前側板部３の厚さ分程度高く形成し、また後立上げ部２ｃの高さは、前立上げ部２ｂの高さよりも後側板部４の厚さ分程度高く形成する。これにより、折り畳みコンテナー１を折り畳んだ際、前後側板部３、４及び横側板部５、５を順次底板部２上に重なり合って収納することができる。
カール部２ｇは、底板部２と前側板部３及び扉部７とを、また底板部２と後側板部４又は横側板部５、５とを回動可能に連結できるように適宜長さで形成し、前後側板部３、４、横側板部５、５又は扉部７の各下端のカール部１０ｄ、１２ｂ、５ｄ、７ｂと交互に直列するように形成するのが好ましい。またカール部２ｇは、本実施形態のように前立上げ部２ｂ、後立上げ部２ｃ及び横立上げ部２ｄ、２ｅの上端を外方にカール状に曲げて形成するのではなく、円筒状の部材を溶接等により固着するようにして形成してもよい。
【００１２】
前側板部３は、図３に示すように、上方横枠部材９と支柱部材１０ａ、１０ｂとを門型状に備えており、上方横枠部材９は、底板部２の長手方向の長さと略同一の幅を有した板材であり、基面９ａの下方には、斜め内方に折曲して傾斜面９ｂを形成し、傾斜面９ｂの下端部を垂直下方に延設している。基面９ａの上方には、内方にカール状に曲げてパイプ又は棒状部材等を挿通した補強部９ｃを形成している。傾斜面９ｂ及び補強部９ｃは折り畳みコンテナー１の強度を高めるためには設けてあるのが好ましいが、これらを設けず、上方横枠部材９を平面状に形成してもよい。
【００１３】
支柱部材１０ａ、１０ｂは、縦長矩形状の板材であり、支柱部材１０ａと支柱部材１０ｂとは左右対称に形成された部材である。下端には、内方にカール状に曲げて回転軸２ｈを挿通できる挿通孔１０ｃを有するカール部１０ｄを形成し、底板部２と連結できるようにしてある。また、外側端には、支柱部材１０ａ、１０ｂ内面からアングル状に起立した係止面１０ｅを上下方向に形成し、係止面１０ｅと平行にアングル材１０ｆを内面上にビス、リベットや溶接などにより固着し、係止面１０ｅとアングル材１０ｆとの間隙に横側板部５が挟持できる挟持部１０ｇを形成してある。
支柱部材１０ａ、１０ｂと上方横枠部材９との固着は、支柱部材１０ａ、１０ｂの上部内面を、上方横枠部材９の外面の下方両隅部に、支柱部材１０ａ、１０ｂの係止面１０ｅが内向きとなるように接面させ、ビス、リベットや溶接などにより上方横枠部材９に固着する。これにより、前側板部３を門型状の強固な外枠体として形成し、内方の開口部を側面開口部６とすることができる。
本実施形態では、上記のように前側板部３を上方横枠部材９と支柱部材１０ａ、１０ｂとの部材に分けて形成したが、一体成形により作成しても構わない。
【００１４】
後側板部４は、上方横枠部材１１及び後側板面部材１２を備えており、上方横枠部材１１は、上記前側板部３に使用した上方横枠部材９と同一のものを使用することができる。
後側板面部材１２は、底板部２の長手方向の長さと略同一の幅とした板材であり、下端には、内方にカール状に曲げて回転軸２ｈが挿通できる大きさの挿通孔１２ａを有するカール部１２ｂを適宜箇所に形成し、底板部２と回動可能に連結できるようにしてある。また、両側端には、内方に垂直折曲した係止面１２ｃを形成し、係止面１２ｃに沿い平行にアングル材１２ｄをビス、リベットや溶接により固着し、係止面１２ｃとアングル材１２ｄとの間隙に横側板部５が挟持できる挟持部１２ｅを設けてある。
後側板面部材１２の外面上方を、上方横枠部材１１の内面下方に接面させ、ビス、リベットや溶接などにより上方横枠部材１１に固着する。これにより、後側板部４を形成することができる。
本実施形態では、上記のように後側板部４を上方横枠部材１１と後側板面部材１２との部材に分けて形成したが、一体成形により作成してもよい。
【００１５】
横側板部５、５は、底板部２の短手方向の長さと略同一の幅の板材であり、上方には、斜め外方に折曲した傾斜面５ａを形成し、傾斜面５ａの上端部を垂直上方に延設して、その先端を内方にカール状に曲げてパイプ又は棒状部材等を挿通した補強部５ｂを形成している。傾斜面５ａ及び補強部５ｂは折り畳みコンテナー１の強度を高めるためには設けてあるのが好ましいが、これらを設けずに、横側板部５、５を平面状に形成してもよい。
また、下端には、内方にカール状に曲げて長尺丸棒材の回転軸２ｉが挿通できる挿通孔５ｃを有するカール部５ｄを適宜箇所に形成し、底板部２と回動可能に連結できるようにしてある。横側板部５、５の両側端には、内方に垂直折曲した係合面５ｅを突設し、前後側板部３、４に設けた挟持部１０ｇ、１２ｅに嵌合できるようにする。
【００１６】
側面開口部６は、折り畳みコンテナー１の被収納物を取り出せる大きさに略矩形状に開口してあり、前記に述べたように、前側板部３に上方横枠部材９と支柱部材１０ａ、１０ｂとの組み合わせにより形成されている。前側板部３を一体で形成した場合は、前面を切り欠いて形成することもできる。また、前側板部３の面上ではなく、後側板部４や横側板部５、５の面上に設けることや、側面開口部６を複数設けることもでき、被収納物を取り出せる大きさであれば、同一面上に２以上の側面開口部６を設けても構わない。また、側面開口部６は、矩形状以外の形状とすることもできる。
【００１７】
扉部７は、側面開口部６を被覆できる略矩形状の板材であり、下端には、内方にカール状に曲げて回転軸２ｈが挿通できる挿通孔７ａを有するカール部７ｂを適宜箇所に形成し、底板部２に回動可能に連結できるようにしてある。
【００１８】
蓋部８は、板材を折曲形成したものであり、略矩形状の上面８ａの周囲を垂直下方に折曲して周壁面８ｂを形成し、折り畳みコンテナー１の上方開口部１３を被覆できるようにしてある。蓋部８の形状は、これに限定されるものではなく、上方開口部１３を被覆できるものであれば、周壁面８ｂを形成しない形状としてもよい。
【００１９】
底板部２、前後側板部３、４、横側板部５、５、扉部７又は蓋部８の外面上には、縦長帯材の左右両端部を断面円弧状の隆起縁とした補強板１４を取り付けるのが好ましい。これにより、面剛性が高まり、折り畳みコンテナー１を多段に積み重ねる荷重強度が増すこととなる。
【００２０】
以下、本実施形態の折り畳みコンテナー１の組立方法を説明する。
前側板部３を底板部２に連結するには、底板部２の前立上げ部２ｂの上端に形成したカール部２ｇと前側板部３及び扉部７の下端に形成したカール部１０ｄ、７ｂとを交互に配列し、挿通孔２ｆ、１０ｃ、７ａの中心を合わせ一直線上に並ぶようにする。そして、底板部２の長手方向の長さと略同一の長さとした回転軸２ｈを各挿通孔１０ｃ、７ａ、２ｆに挿通して、底板部２と前側板部３及び蓋部７とを回動可能に連結することができる。回転軸２ｈは、両端をかしめるなどして固定することができる。これにより、回転軸２ｈを中心として、前側板部３及び扉部７は、内方又は外方に向け回動可能なものとなる。
上記実施形態では、前側板部３と扉部７の回転中心を同一としているが、回転中心を同一とせず、前側板部３の前面中央付近を略矩形状に切り欠いて側面開口部６を設け、扉部７の下端に、前側板部３の回転軸とは別の回転軸を取り付けるようにしてもよく、この場合でも側面より被収納物の取り出しは可能となる。
【００２１】
また、側面開口部６の上方両隅付近の前側板部３内面と扉部７の側端寄り内面にベルト状の支持部材１５の両端を取り付け、扉部７を開扉した際に、扉部７が水平状に固定できるようにするのが好ましい。これにより、扉部７を棚、置き台などとして使用できるものとなる。支持部材１５は、繊維、革、合皮などで作成でき、扉部７を支持できるものであれば、特に限定するものではない。また、支持部材１５は、扉部６を水平状に支持できるものであれば、ダンパーなどを使用してもよい。
【００２２】
扉部７には、ロック機構１６を備え、折り畳みコンテナー１を使用時に扉部７が開扉しないようにする。ロック機構１６は、扉部７が使用時に開扉できないものであれば市販品のものでよく、例えば、図４に示すように、扉部７の外面両隅には、丸棒材を略コの字状に折曲した係止部１６ａを有する係止部材１６ｂを取り付け、それと対応するように前側板部３の外面には、平板を断面略Ｊの字状に折曲した係合部１６ｃを取り付け、係止部１６ａを係合部１６ｃに係合させることにより、扉部７を開扉しないようにできる。開扉する際は、係止部材１６ｂの下端を上方に引き上げ、係止部１６ａを係合部１６ｃより解除して扉部７を開扉することができる。
【００２３】
後側板部４を底板部２に連結するには、前側板部３を底板部２に連結するのと同様に、後立上げ部２ｃの上端のカール部２ｇと後側板面部材１２の下端のカール部１２ｂとを交互に配列し、挿通孔１２ａ、２ｆの中心とを合わせ一直線上に並べて、回転軸２ｈを挿通孔１２ａ、２ｆに挿通することにより、底板部２と後側板部４とを回動可能に連結することができる。
また、横側板部５、５を底板部２に連結するには、横立上げ部２ｄ、２ｅの上端のカール部２ｇと横側板部５、５の下端のカール部５ｄを交互に配列し、挿通孔２ｆ、５ｃの中心とを合わせ一直線上に並べて、底板部２の短手方向の長さと略同一の長さとした回転軸２ｉを挿通孔５ｃ、２ｆに挿通することにより、底板部２と横側板部５、５とを回動可能に連結することができる。
【００２４】
本実施形態の折り畳みコンテナー１を使用する際は、底板部２に取り付けた横側板部５、５を垂直に立ち上げ、挟持部１０ｇ、１２ｅに横側板部５、５を挟持させながら前後側板部３、４を垂直に立ち上げる。この際、前後側板部３、４と横側板部５とを強固に連結できるように掛金具等、例えば丸棒材を略コの字状に折曲して係止部とし、平板を断面略Ｊの字状に折曲して係合部として、係止部を係合部に係合させるようにしたものなど、を取り付けるのが好ましい。
そして、上方開口部１３に蓋部８を被覆して折り畳みコンテナー１とすることができる。蓋部８と前後側板部３、４又は横側板部５とを強固に連結できるように蓋部８の上面８ａなどに掛金具１３ａ等を取り付けるのが好ましい。
これにより、折り畳みコンテナー１を積み重ねた際も、上方のコンテナーを移動させなくとも、扉部７面上に設けたロック機構１６を解除すれば、被収納物を取り出せることができる。
【００２５】
折り畳みコンテナー１を折り畳む際は、蓋部８を上方に取り外し、前後側板部３、４を若干外方に移動させ、挟持部１０ｇ、１２ｅに挟持された横側板部５、５を外す。そして、横側板部５、５を内方に回動させて底板部２内に収納し、次に前側板部３を内方に回動させて横側板部５、５上に重なるように底板部２内に収納し、後側板部４を前側板部３上に重なるように底板部２内に回動させて収納する。これらの上に蓋部８を被覆することにより折り畳むことが可能である。
【００２６】
上記実施形態の構成に加えて、図５又は６に示すように、折り畳みコンテナー１の底板部２の底面２ａ上方、後立上げ部２ｃ側に回転軸を設けて、前側が上開き可能な水平状の収納扉１７ａを形成し、収納扉１７ａと底面２ａとの間に各立上げ部２ｂ、２ｃ、２ｄ、２ｅで囲われた収納部１７を形成することができる。収納部１７内に貴重品などをしまえば、コンテナーの下方に位置しているので見つかりにくく安全である。収納扉１７ａを施錠構造とすれば、さらに安全性が高まる。また、収納扉１７ａの位置を扉部６と略同一水平面となるように形成すれば、収納扉１７面上に収納した被収納物も取り出しやすいものとなる。この際、底板部２の前立上げ部２ｂ、後立上げ部２ｃ及び横立上げ部２ｄ、２ｅの高さは、適宜調整して側板部３、４及び横側板部５、５が折り畳めるようにする。
なお、収納部１７の形態は上記に限定されるものではなく、種々設計が可能である。
【００２７】
【発明の効果】
上方開口部を被覆する蓋部を有し、周側板部を底板部に回動可能に連結した折り畳みコンテナーにおいて、少なくとも一側板部に開口部を設け、この開口部を被覆し、開閉可能な扉部を備えた折り畳みコンテナーとすれば、積み重ねた際も被収納物を容易に取り出せることができる。また、扉部の下端を底板部に回動可能に連結し、扉部を水平状に支持する支持部材を設けた構成とすれば、扉部を棚、置き台などとして使用することができる。さらに、前側板部を門型状の外枠体とし、この門型状の開口部を塞ぐ扉部を設け、前側板部及び扉部の下端を底板部に回動可能に連結する構成とすれば、側面開口部を広く形成でき、製造も容易なものとすることができる。
【図面の簡単な説明】
【図１】本発明の折り畳みコンテナーの一実施形態を示した概略斜視図である。
【図２】図１の折り畳みコンテナーの分解斜視図である。
【図３】図１の前側板部の分解斜視図である。
【図４】図１の扉部に備えたロック機構を示した拡大図である。
【図５】収納部を備えた構成とした折り畳みコンテナーの一実施形態を示した概略斜視図である。
【図６】図５の折り畳みコンテナーの側断面図である。
【符号の説明】
１  折り畳みコンテナー
２  底板部
２ａ  底面
２ｂ  前立上げ部
２ｃ  後立上げ部
２ｄ、２ｅ  横立上げ部
２ｆ  挿通孔
２ｇ  カール部
２ｈ、２ｉ  回転軸
３  前側板部
４  後側板部
５  横側板部
５ａ  傾斜面
５ｂ  補強部
５ｃ  挿通孔
５ｄ  カール部
５ｅ  係合面
６  側面開口部
７  扉部
７ａ  挿通孔
７ｂ  カール部
８  蓋部
８ａ  上面
８ｂ  周壁面
９  上方横枠部材
９ａ  基面
９ｂ  傾斜面
９ｃ  補強部
１０ａ、１０ｂ  支柱部材
１０ｃ  挿通孔
１０ｄ  カール部
１０ｅ  係止面
１０ｆ  アングル材
１０ｇ  挟持部
１１  上方横枠部材
１２  後側板面部材
１２ａ  挿通孔
１２ｂ  カール部
１２ｃ  係止面
１２ｄ  アングル材
１２ｅ  挟持部
１３  上方開口部
１３ａ  掛金具
１４  補強板
１５  支持部材
１６  ロック機構
１６ａ  係止部
１６ｂ  係止部材
１６ｃ  係合部
１７  収納部
１７ａ  収納扉
【図１】
2004359281.tif 000003
【図２】
2004359281.tif 000004
【図３】
2004359281.tif 000005
【図４】
2004359281.tif 000006
【図５】
2004359281.tif 000007
【図６】
2004359281.tif 000008